(57)【特許請求の範囲】
【請求項１】
エンジンの吸気通路途中に設けられたインテークシャッタと、
該インテークシャッタを開閉作動せしめるエアシリンダと、
制御回路からの指令信号に基づき、インテークシャッタを閉じてエンジンを停止させる際には、エアシリンダに圧縮空気を供給するポジションに切り換える一方、インテークシャッタを開いてエンジンを再始動させる際には、エアシリンダに供給された圧縮空気を排気ポートから排出させるポジションに切り換えるインテークシャッタ電磁弁とを備えたエンジン自動停止始動装置におけるインテークシャッタ制御装置において、
インテークシャッタ電磁弁の排気ポートに排気絞りを設け、インテークシャッタを閉じる時よりも遅い速度で開くようにしたことを特徴とするエンジン自動停止始動装置におけるインテークシャッタ制御装置。
【発明の詳細な説明】
【０００１】
【発明の属する技術分野】
本発明は、エンジン自動停止始動装置におけるインテークシャッタ制御装置に関するものである。
【０００２】
【従来の技術】
近年、開発されているエンジン自動停止始動装置は、車両が完全に停止している、バッテリに充分な充電容量がある、エンジン温度が充分に高い等の各種条件を満足する時に、運転者のスイッチ操作によらずに自動的にエンジンを停止させ、その後に、運転者がクラッチペダルを踏むことにより自動的にエンジンを再始動させる装置である。
【０００３】
前記エンジン自動停止始動装置は、主として路線バスに利用される大型バスに搭載されており、市街地の停留所での乗客の乗降中、並びに渋滞や信号待ち等の停車時に、運転者が特に操作をしなくても、エンジンの自動停止及び自動始動が行われ、排ガスの低減、車両振動の軽減、燃費の向上等を図ることができるようになっている。
【０００４】
図２は従来のエンジン自動停止始動装置におけるインテークシャッタ制御装置の一例を表わすものであって、１はエンジン、２はエンジン１に吸気を導入する吸気通路、３はエンジン１からの排気を排出する排気通路、４は吸気通路２途中に設けられたインテークシャッタ、５はインテークシャッタ４を開閉作動せしめるエアシリンダ、６は圧縮空気が貯留されたリザーバタンク、７はリザーバタンク６とエアシリンダ５とを接続するエア配管、８はエア配管７途中に設けられたプロテクションバルブ、９はエア配管７途中に設けられたインテークシャッタ電磁弁、１０はエンジン１の自動停止始動装置を作動させるか否かを選択するアイドルストップシステムスイッチ、１１はエンジン１の回転数を検出するエンジン回転センサ、１２は車速を検出する車速センサ、１３はエンジン１の冷却水温度を検出する水温センサ、１４は変速機がニュートラル位置にあることを検出するニュートラルスイッチ、１５はクラッチペダルの踏み込みを検出するクラッチスイッチ、１６はリザーバタンク６内の圧力を検出するエア圧スイッチ、１７はバッテリの充電量を検出するバッテリセンサ、１８は制御回路である。
【０００５】
図２に示される如き従来のエンジン自動停止始動装置におけるインテークシャッタ制御装置においては、アイドルストップシステムスイッチ１０が「ＯＮ」の状態で、エンジン回転センサ１１によって検出されたエンジン１の回転数がアイドリング回転となっており、車速センサ１２によって検出された車速がゼロとなっており、水温センサ１３によって検出されたエンジン１の冷却水温度が適正温度となっており、ニュートラルスイッチ１４によって変速機がニュートラル位置になっていることが検出され、クラッチスイッチ１５によってクラッチペダルが踏み込まれていないことが検出され、エア圧スイッチ１６によって検出されたリザーバタンク６内の圧力が正常となっており、更にバッテリセンサ１７によって検出されたバッテリの充電量が正常となっている場合に、制御回路１８からの指令信号１９に基づき、インテークシャッタ電磁弁９がエアシリンダ５に圧縮空気を供給するポジションに切り換えられ、該エアシリンダ５が伸長してインテークシャッタ４が閉じ、エンジン１への吸気の供給が遮断され、エンジン１が自動的に停止される。
【０００６】
一方、前記エンジン１が自動停止された状態から、運転者が車両を発進させるためにクラッチペダルを踏み込むと、前記クラッチスイッチ１５によってクラッチペダルが踏み込まれたことが検出され、前記制御回路１８からの指令信号１９に基づき、インテークシャッタ電磁弁９がエアシリンダ５に供給された圧縮空気を排気ポート２０から排出させるポジションに切り換えられ、該エアシリンダ５が収縮してインテークシャッタ４が再び開放され、エンジン１への吸気の供給が再開され、エンジン１が自動的に再始動される。
【０００７】
【発明が解決しようとする課題】
しかしながら、前述の如き従来のエンジン自動停止始動装置におけるインテークシャッタ制御装置においては、インテークシャッタ４が閉じ、エンジン１への吸気の供給が遮断され、エンジン１が自動的に停止された場合、エンジン１内は負圧になっており、この状態から、前記インテークシャッタ４が再び開放され、エンジン１への吸気の供給が再開されると、前記負圧になっているエンジン１内に急激に吸気が吸い込まれることから、大きな作動音が発生し、運転者や乗客が不快感を感じることがあり、好ましくなかった。
【０００８】
本発明は、斯かる実情に鑑み、エンジンへの吸気の供給の再開時に発生する作動音を低減し得、快適性の向上を図り得るエンジン自動停止始動装置におけるインテークシャッタ制御装置を提供しようとするものである。
【０００９】
【課題を解決するための手段】
【００１０】
本発明は、エンジンの吸気通路途中に設けられたインテークシャッタと、
該インテークシャッタを開閉作動せしめるエアシリンダと、
制御回路からの指令信号に基づき、インテークシャッタを閉じてエンジンを停止させる際には、エアシリンダに圧縮空気を供給するポジションに切り換える一方、インテークシャッタを開いてエンジンを再始動させる際には、エアシリンダに供給された圧縮空気を排気ポートから排出させるポジションに切り換えるインテークシャッタ電磁弁とを備えたエンジン自動停止始動装置におけるインテークシャッタ制御装置において、
インテークシャッタ電磁弁の排気ポートに排気絞りを設け、インテークシャッタを閉じる時よりも遅い速度で開くようにしたことを特徴とするエンジン自動停止始動装置におけるインテークシャッタ制御装置にかかるものである。
【００１１】
上記手段によれば、以下のような作用が得られる。
【００１２】
【００１３】
本発明のエンジン自動停止始動装置におけるインテークシャッタ制御装置においては、制御回路からの指令信号に基づき、インテークシャッタ電磁弁がエアシリンダに圧縮空気を供給するポジションに切り換えられ、該エアシリンダが伸長してインテークシャッタが閉じ、エンジンへの吸気の供給が遮断され、エンジンが自動的に停止された後、運転者が車両を発進させようとすると、前記制御回路からの指令信号に基づき、インテークシャッタ電磁弁がエアシリンダに供給された圧縮空気を排気ポートから排出させるポジションに切り換えられる。
【００１４】
ここで、前記エアシリンダに供給された圧縮空気は、インテークシャッタ電磁弁の排気ポートから速やかに排出されるのではなく、排気絞りを介して、所要の時間をかけ、従来に比べゆっくりと排出される形となるため、エアシリンダが収縮してインテークシャッタが再び開放される速度が閉じる時よりも遅くなる。
【００１５】
この結果、負圧になっているエンジン内に急激に吸気が吸い込まれることがなくなって、大きな作動音が発生しなくなり、運転者や乗客が不快感を感じることがなくなる。
【００１６】
【発明の実施の形態】
以下、本発明の実施の形態を図示例と共に説明する。
【００１７】
図１は本発明を実施する形態の一例であって、図中、図２と同一の符号を付した部分は同一物を表わしており、基本的な構成は図２に示す従来のものと同様であるが、本図示例の特徴とするところは、図１に示す如く、インテークシャッタ電磁弁９の排気ポート２０に排気絞り２１を設け、インテークシャッタ４を閉じてエンジン１を停止させた後、該エンジン１を再始動する際に、エンジン１内の圧力変化が緩やかとなるよう、インテークシャッタ４を閉じる時よりも遅い速度で開くようにした点にある。
【００１８】
尚、通常、インテークシャッタ４を閉じる時の時間は、およそ０．１〜０．２［ｓｅｃ］程度であり、従来においては、インテークシャッタ４を開く時の時間も略同程度であるが、本図示例の場合には、前述の如くインテークシャッタ電磁弁９の排気ポート２０に排気絞り２１を設けることにより、インテークシャッタ４を開く時の時間を、およそ１．０〜１．５［ｓｅｃ］程度となるようにしてある。
【００１９】
次に、上記図示例の作動を説明する。
【００２０】
制御回路１８からの指令信号１９に基づき、インテークシャッタ電磁弁９がエアシリンダ５に圧縮空気を供給するポジションに切り換えられ、該エアシリンダ５が伸長してインテークシャッタ４が閉じ、エンジン１への吸気の供給が遮断され、エンジン１が自動的に停止された後、運転者が車両を発進させるためにクラッチペダルを踏み込むと、クラッチスイッチ１５によってクラッチペダルが踏み込まれたことが検出され、前記制御回路１８からの指令信号１９に基づき、インテークシャッタ電磁弁９がエアシリンダ５に供給された圧縮空気を排気ポート２０から排出させるポジションに切り換えられる。
【００２１】
ここで、前記エアシリンダ５に供給された圧縮空気は、インテークシャッタ電磁弁９の排気ポート２０から速やかに排出されるのではなく、排気絞り２１を介して、所要の時間（およそ１．０〜１．５［ｓｅｃ］程度）をかけ、従来に比べゆっくりと排出される形となるため、エアシリンダ５が収縮してインテークシャッタ４が再び開放される速度が閉じる時よりも遅くなる。
【００２２】
この結果、負圧になっているエンジン１内に急激に吸気が吸い込まれることがなくなって、大きな作動音が発生しなくなり、運転者や乗客が不快感を感じることがなくなる。
【００２３】
こうして、エンジン１への吸気の供給の再開時に発生する作動音を低減し得、快適性の向上を図り得る。
【００２４】
尚、本発明のエンジン自動停止始動装置におけるインテークシャッタ制御装置は、上述の図示例にのみ限定されるものではなく、本発明の要旨を逸脱しない範囲内において種々変更を加え得ることは勿論である。
【００２５】
【発明の効果】
以上、説明したように本発明のエンジン自動停止始動装置におけるインテークシャッタ制御装置によれば、エンジンへの吸気の供給の再開時に発生する作動音を低減し得、快適性の向上を図り得るという優れた効果を奏し得る。
【図面の簡単な説明】
【図１】  本発明を実施する形態の一例の概要構成図である。
【図２】  従来例の概要構成図である。
【符号の説明】
１          エンジン
２          吸気通路
４          インテークシャッタ
５          エアシリンダ
９          インテークシャッタ電磁弁
１８          制御回路
１９          指令信号
２０          排気ポート
２１          排気絞り
【図１】
0003863598.tif 000002
【図２】
0003863598.tif 000003